(57)【要約】【課題】装置への供給電源が限定されている場合であっても、操作者が指定した読取条件にて撮像を行うことができ、操作者が本来所望する画像を得ること。【解決手段】イメージスキャナ１００の撮像制御部１５は、原稿の読取動作が指示された場合（Ｓ９１）に、外部電源供給量検知部１４により検出された外部電源入力部１３からの電源供給量で、指定された読取条件での読取動作の実行が可能か否かを判定し（Ｓ９２）、前記電源供給量で前記読取動作の実行が不可能と判定された場合（Ｓ９２でＮｏの場合）、光量調整回路７にて調整された光源３１の光量に応じて、画像信号増幅回路９の増幅率を変更して、前記指定された読取動作を実行する（Ｓ９３）。【選択図】図２
2015207894.tif 000002
【特許請求の範囲】
【請求項１】
原稿の画像を読み取る画像読取手段と、
前記画像読取手段からの出力信号の増幅率を変更する増幅率変更手段と、
所定の電源供給の範囲内で画像の読取動作を実行する制御手段と、
を備えたことを特徴とする画像読取装置。
【請求項２】
原稿の画像を読み取る読取手段と、
前記読取手段からの出力信号を増幅する増幅手段と、
電源供給量を検出する検出手段と、
前記検出手段により検出された電源供給量で所定の読取動作の実行が可能か否かを判定する判定手段と、
前記判定手段により前記電源供給量で前記読取動作の実行が不可能と判定された場合、前記増幅手段での増幅率を変更してて前記読取動作を実行する制御手段と、
を有することを特徴とする画像読取装置。
【請求項３】
前記読取手段は、光源から光を原稿に照射して原稿の画像を読み取るものであり、
前記読取手段からの出力信号に基づいて前記光源の光量を調整する調整手段を有し、
前記制御手段は、前記調整手段にて調整された光源の光量に応じて、前記増幅手段の増幅率を変更することを特徴とする請求項２に記載の画像読取装置。
【請求項４】
前記制御手段は、前記判定手段により前記電源供給量で前記読取動作の実行が不可能と判定された場合であっても、前記調整された光源の光量が閾値を超えない場合には、前記増幅手段の増幅率を所定の増幅率から変更することなく前記読取動作を実行することを特徴とする請求項３に記載の画像読取装置。
【請求項５】
前記制御手段は、前記判定手段により前記電源供給量で前記読取動作の実行が不可能と判定され、且つ、前記調整された光源の光量が閾値を超える場合には、前記光源の光量を下げるとともに、前記増幅手段の増幅率を上げて前記読取動作を実行することを特徴とする請求項４に記載の画像読取装置。
【請求項６】
前記光源は、互いに異なる発光波長を有する複数種の光源であり、
前記制御手段は、前記判定手段により前記電源供給量で前記読取動作の実行が不可能と判定され、且つ、前記調整された光源の光量が前記閾値よりも大きい他の閾値を超える場合には、前記複数種の光源のうちいずれか１又は複数の光源を消灯させて前記読取手段による読取動作を実行することを特徴とする請求項５に記載の画像読取装置。
【請求項７】
前記制御手段は、前記判定手段により前記電源供給量で前記読取動作の実行が不可能と判定され、且つ、前記調整手段で調整された光源の光量が前記他の閾値を超える場合には、前記いずれか１又は複数の光源を消灯させた読取動作を行うか又は読取動作を中止するかを、操作者の選択入力に応じて制御することを特徴とする請求項６に記載の画像読取装置。
【請求項８】
前記調整手段は、前記光源の点灯期間を調整することにより前記光源の光量を調整することを特徴とする請求項３乃至７のいずれか１項に記載の画像読取装置。
【請求項９】
前記画像読取装置は、外部電源により動作するものであり、
前記検出手段は、前記外部電源の電源供給量を検出することを特徴とする請求項２乃至８のいずれか１項に記載の画像読取装置。
【請求項１０】
前記画像読取装置は、内部電源により動作するものであり、
前記検出手段は、前記内部電源の残量を検出することを特徴とする請求項２乃至９のいずれか１項に記載の画像読取装置。
【請求項１１】
原稿の画像を読み取る画像読取手段と、前記画像読取手段からの出力信号の増幅率を変更する増幅率変更手段とを有する画像読取装置の制御方法であって、
所定の電源供給の範囲内で画像の読取動作を実行するステップを備えたことを特徴とする画像読取装置の制御方法。
【請求項１２】
光源から原稿に照射された光の反射光を受光して画像信号を出力する読取手段と、前記読取手段の出力信号を増幅する増幅手段と、を有する画像読取装置の制御方法であって、
電源供給量を検出する検出ステップと、
前記検出ステップで検出された電源供給量で所定の読取動作の実行が可能か否かを判定する判定ステップと、
前記判定ステップで前記電源供給量で前記読取動作の実行が不可能と判定された場合、前記増幅手段の増幅率を上げて前記読取動作を実行う制御ステップと、
を有することを特徴とする画像読取装置の制御方法。
【請求項１３】
コンピュータを、請求項１乃至１０のいずれか１項に記載の制御手段として機能させるためのプログラム。
【発明の詳細な説明】
【技術分野】
【０００１】
本発明は、画像読取装置の読取制御に関する。
【背景技術】
【０００２】
従来のイメージスキャナでは、ＣＭＯＳラインセンサやＣＣＤラインセンサ等の光電変換装置を使って、一方向（主走査方向）に走査を行い、ステッピングモータまたはＤＣモータを用いて原稿と光電変換装置を主走査方向に対して垂直方向（副走査方向）に相対的に動かすことにより、画像を読み取るものが提供されている。例えば、原稿台上に置いた原稿を読み取るフラットベット式のものや、シート原稿をローラで移動しながら読み取るシートフィード式のものなどかある。
【０００３】
従来のイメージスキャナでは、パーソナルコンピュータ（ＰＣ）などの多くの外部情報端末が備えているＵＳＢ等のインターフェースを読取画像転送用のインターフェースとして使用し、別入力としてＡＣアダプタ等の入力インターフェースを備え、外部から電源を得るためのインターフェースとして使用していた。
【０００４】
近年、携帯性を重視したイメージスキャナが数多く登場している。携帯性を持つイメージスキャナの電源は、概して限られたものである。
【０００５】
例えば、イメージスキャナ外部から電源を得る構成では、ＵＳＢポートのインターフェースを利用して、読取画像転送と電源を得る機能を兼ねる構成が一般的になってきている。
【０００６】
また、イメージスキャナ内部から電源を得る構成例としては、内部バッテリーを搭載したイメージスキャナが挙げられる。この構成の場合、読取画像転送用のインターフェースとしては、ＵＳＢの他に外部情報端末と無線通信を行うためにＷＬＡＮに代表される無線通信インターフェースを設け、外部情報端末に読取画像を転送したり、ＳＤカードに代表されるリムーバルメディアを挿入可能なインターフェースをイメージスキャナ本体に設け、メディア内に読取画像を転送したりするものがある。
【０００７】
従来では、イメージスキャナに供給される電力量が少なくなるとユーザが本来所望する読取条件（階調性、解像度など）を変更して、読取動作に要する電力量を低下させて、読取動作を行っていた（特許文献１）。
【先行技術文献】
【特許文献】
【０００８】
【特許文献１】特許第３６８９５７２号公報
【発明の概要】
【発明が解決しようとする課題】
【０００９】
しかし、従来のように、ユーザが本来所望する読取条件（階調性、解像度など）を変更すると、ユーザが本来要求している画像とは階調や解像度などが異なる画像を取得することとなってしまうという課題があった。
【００１０】
本発明は、上記の問題点を解決するためになされたもので、本発明の目的は、供給電源が限定されている場合であっても、操作者が指定した読取条件にて撮像を行うことができ、操作者が本来所望する画像を得ることができる仕組みを提供することである。
【課題を解決するための手段】
【００１１】
本発明は、原稿の画像を読み取る画像読取手段と、前記画像読取手段からの出力信号の増幅率を変更する増幅率変更手段と、所定の電源供給の範囲内で画像の読取動作を実行する制御手段とを備えたことを特徴とする。
【発明の効果】
【００１２】
本発明によれば、供給電源が限定されている場合であっても、操作者が指定した読取条件にて撮像を行うことができ、操作者が本来所望する画像を得ることができる。
【図面の簡単な説明】
【００１３】
【図１】実施例１における画像読取装置としてイメージスキャナの概略構成図。
【図２】実施例１のイメージスキャナの動作を例示するフローチャート。
【図３】画像増幅率の概念を説明する図。
【図４】ラインセンサの出力特性を例示する図。
【図５】実施例２のイメージスキャナの動作を例示するフローチャート。
【図６】実施例３のイメージスキャナの動作を例示するフローチャート。
【図７】光量調整後の点灯光量に対する第１閾値と第２閾値の関係を示す概念図。
【図８】実施例４における画像読取装置としてイメージスキャナの概略構成図。
【図９】実施例４のイメージスキャナの動作を例示するフローチャート。
【図１０】実施例５のイメージスキャナの動作を例示するフローチャート。
【図１１】実施例６のイメージスキャナの動作を例示するフローチャート。
【発明を実施するための形態】
【００１４】
以下、本発明を実施するための形態について図面を用いて説明する。
【実施例１】
【００１５】
図１は、本発明の実施例１における画像読取装置の概略構成を例示する図である。
図１において、１００、本発明の画像読取装置としてのイメージスキャナである。１は書類、写真などの原稿（シート）である。２は原稿１と密着する原稿台ガラスである。３は光学ユニットである。光学ユニット３は、光源３１と、ライトガイド３２と、ラインセンサ３３と、セルホックレンズ３４とを含む。
【００１６】
光源３１は、原稿台ガラス２を介して原稿１を照明するためのものである。ライトガイド３２は、照明光を原稿面に導くためのものである。セルホックレンズ３４は、照明された原稿１の光学像をラインセンサ３３に導くためのものである。ラインセンサ３３は、結像された光学像を主走査方向に読み取るための光電変換装置（例えば、ＣＭＯＳセンサやＣＣＤセンサ等）により構成される。即ち、ラインセンサ３３は、光源３１から原稿に照射された光の反射光を受光して画像信号を出力する。なお、光源３１は、互いに異なる発光波長を有する複数種の光源で構成され、可視光であるＲ、Ｇ、Ｂの３色を個別点灯可能な構成を取ることが一般的である。なお、撮像光学系として、密着型イメージセンサ（ＣＩＳ）でも、一体型光学系を採用しても良いのは言うまでもない。
【００１７】
４はモータで、原稿１を副走査方向に移動するための駆動源となる。５は搬送ローラで、モータ４軸の回転運動により搬送方向（副走査方向）へと原稿１を搬送する、５０は従動ローラで、搬送ローラ５に対向した位置にあり、搬送ローラ５の回転に連動して回転する。搬送ローラ５および従動ローラ５０により、原稿１を把持する。６はモータ制御回路で、原稿１を副走査方向に移動させるためのものである。搬送ローラ５と従動ローラ５０により把持した原稿１を搬送路３０内に搬送する。
【００１８】
７は光量調整回路で、光源３１の点灯光量を調整する。８は光量調整読取部で、光量調整回路７により調整された光量を読出し可能である。光量調整回路７にて、後述の光量調整動作を行った結果得られた光量調整量を、光量調整読取部８が読み出す構成になっている。
【００１９】
本実施例では、光量調整回路７が調整するのは、光源３１を点灯する期間である。そして、光量調整読取部８が光量調整回路７から読み出すのは、光量調整後の光源３１の点灯期間である。光源３１の点灯期間が長ければ長いほど、ラインセンサ３３に投光される光量（すなわち、画像信号出力値）が大きくなる。一方で、光源３１の点灯期間が長いと、それだけ光源３１を点灯させるために必要な電力が大きくなる。本実施例では、光源３１の点灯期間により調整された点灯光量（光源を点灯する期間）を監視して、光源３１を点灯させるために必要な電力を低減させるものである。以下、「点灯光量」は、光源３１を点灯する期間（点灯期間）を示す。なお、光量調整は、点灯期間に限定されるものではなく、他の光量調整方法を用いてもよい。
【００２０】
９は画像信号増幅回路で、ラインセンサ３３が撮像した画像信号を受信して、所定の増幅率で増幅可能である。１０は画像信号増幅制御部で、画像信号増幅回路９の増幅率を設定可能である。光量調整回路７により光源３１の点灯光量を調整し、ラインセンサ３３で受光した光が光電変換されて電気信号（画像信号）となり、得られた電気信号を画像信号増幅回路９で増幅することで、読取画像を得ることになる。
【００２１】
１３は外部電源入力部で、外部電源を入力可能である。１４は外部電源供給量検知部で、外部電源入力部１３からの電源供給量を検知し、検知結果を撮像制御部１５に送信可能である。１６は操作スイッチで、操作者からの読取開始指示を撮像制御部１５に送信可能である。
【００２２】
１５は撮像制御部である。撮像制御部１５は、外部電源供給量検知部１４からの検知結果を受信可能である。また、撮像制御部１５は、ラインセンサ３３を駆動制御し、光量調整回路７に対して点灯光量を調整可能である。さらに、撮像制御部１５は、画像信号増幅制御部１０が設定する信号増幅率を調整可能である。撮像制御部１５は、例えば、内部にＣＰＵ、ＲＯＭ、ＲＡＭ等を有し、ＣＰＵがＲＯＭに格納されてプログラムを実行することにより、上記制御を実現するものである。
【００２３】
以下、図２を用いて実施例１のイメージスキャナ１００の動作のシーケンスを詳しく説明する。
図２は、実施例１のイメージスキャナ１００の動作を例示するフローチャートである。なお、このフローチャートに示す処理は、例えば、撮像制御部１５内のＣＰＵがＲＯＭに格納されてプログラムを実行することにより実現される。
【００２４】
まず、Ｓ９１において、撮像制御部１５は、操作スイッチ１６により操作者が画像読取指示を発行したかどうかを判定する。操作者による画像読取指示を受信していないと判定した場合（Ｓ９１でＮｏの場合）、撮像制御部１５は、Ｓ９１の判定を繰り返す。
【００２５】
一方、撮像制御部１５が操作者による画像読取指示を受信したと判定した場合（Ｓ９１でＹｅｓの場合）、撮像制御部１５は、Ｓ９２に処理を進める。Ｓ９２では、撮像制御部１５は、外部電源供給量検知部１４を介して外部電源入力部１３に入力される電源供給量を取得し、外部電源入力部１３から得られる電源供給量が上記Ｓ９１で操作者から指示された読取条件にて画像読取動作を行うのに充分かどうか判定する。
【００２６】
なお、外部電源供給量検知部１４は、撮像制御部１５からの指示等に応じて外部電源入力部１３に入力される電源供給量を検知し、該検知した結果を撮像制御部１５に送信する。外部電源供給量の検知の一例としては、イメージスキャナ１００がＵＳＢ２．０に接続されたことを外部電源供給量検知部１４が検知して、外部電源供給量を＋５Ｖ／５００ｍＡと判定することが挙げられる。
【００２７】
外部電源供給量検知部１４の検知結果を撮像制御部１５が受信すると、撮像制御部１５は、上記Ｓ９１で指示された読取条件にて画像読取動作を行うのに必要とされる電力と、外部電源入力部１３から得られる電源供給量とを比較する。なお、撮像制御部１５は、イメージスキャナ１００が設定可能な全ての読取条件にて読取動作を行うのに必要な電力に関するデータ（電力データ）を保持している。この電力データは、工場出荷時等、予め設定され撮像制御部１５内の不揮発性記憶装置に格納されている。
【００２８】
そして、上記Ｓ９１で操作者から指示された読取条件にて画像読取動作を実行するための電力に対して外部電源から得られる電源供給量が充分であると判定した場合（Ｓ９２でＹｅｓの場合）、撮像制御部１５は、Ｓ９４に処理を進める。
【００２９】
Ｓ９４では、撮像制御部１５は、通常読取動作を実行する。詳細には、撮像制御部１５は、通常の光量調整を行い、画像信号増幅制御部１０を介して画像信号増幅率を通常の増幅率に設定し、画像読取を行うように制御する。
【００３０】
なお、通常の増幅率は、図３の通常の増幅率に対応する直線に示すように、画像信号として入力し得る最大値に近い値を入力した時に画像出力が飽和する（出力最大値になる）様に設定する、すなわち、ダイナミックレンジが最も広くなる増幅率に設定するのが一般的である。
図３は、画像増幅率の概念を説明する図である。
【００３１】
ここで光量調整について説明をする。
光量調整とは、ラインセンサ３３の受光光量が飽和せずに、かつラインセンサの明状態（受光量が多い状態）と暗状態（受光量が無い状態）の画像信号出力値の比を調整することを指す。以下、図４を用いて説明する。
【００３２】
図４は、ラインセンサ３３の出力特性を例示する図である。
ラインセンサ３３の出力特性は、図４のように、点灯光量が増加すると線形性が変化してくるようになり、最終的にはラインセンサ３３が飽和してくるため、線形性が変化する以前の点灯量で、光量調整を設定する。明状態と暗状態のラインセンサ出力値の比は、そのまま画像信号のＳ／Ｎ比となるため、通常は図４の両矢印領域３０１内で、かつＳ／Ｎ比が大きくなる様に設定するのが一般的である。なお、上述した通常の光量調整では、光量調整回路７に対して光源３１を通常点灯量（例えば図４の３０１の最大）まで点灯して良いという条件下で光量調整を実行するものとする。このように、光量調整回路７は、ラインセンサ３３の出力信号に基づいて光源３１の光量を調整する。
【００３３】
以下、図２のフローチャートの説明に戻る。
一方、上記Ｓ９２において、上記Ｓ９１で操作者から指示された読取条件にて画像読取動作を実行するための電力に対して外部電源から得られる電源供給量が充分でないと判定した場合（Ｓ９２でＮｏの場合）、撮像制御部１５は、Ｓ９３に処理を進める。
【００３４】
Ｓ９３では、撮像制御部１５は、通常の光量調整を行い、画像信号増幅制御部１０に指示して、画像信号の増幅率を変更させ、画像読取動作を実行する。ここでは、光量調整後の点灯光量が大きいほど、画像信号の増幅率の傾きを大きくするように、画像信号の増幅率を調整する。Ｓ９３は外部電源供給量が不充分な場合に実行されるステップであり、光量調整後の点灯光量が大きい（即ち、点灯に要する電力が大きい）状況を避ける必要がある。光量調整の結果、点灯光量が大きい且つ外部電源供給量が不充分な場合は、光量調整動作時の点灯光量をそのまま用いると、点灯光量が通常よりも小さくなってしまう可能性がある。このような不安定な状況での点灯動作をさける目的で、点灯光量を光量調整動作にて得られた値よりも小さい値で点灯させるとともに、ラインセンサ３３の出力値が減少した分を補償するために、増幅率を通常点灯調整時の増幅率よりも高く設定するように制御する。一方、光量調整後の点灯光量が小さい場合は、少ない点灯光量でもラインセンサ３３から目標の画像信号出力値を得られる場合であるため、画像増幅率を上げる必要がない。このように、光量調整後の点灯光量が大きいほど、画像信号の増幅率の傾きを大きくするように、画像信号の増幅率を調整する。
【００３５】
具体的には、光量調整後の点灯光量に応じて、図３において斜線部で示す領域（可変増幅率領域）中に増幅率の直線が入るように、画像入力信号に対する画像出力信号の増幅率に対応する直線の傾きを設定する。
【００３６】
以上示したように、実施例１によれば、イメージスキャナ１００に供給される外部電源の電力量が少なく指定された画像読取動作に不十分な場合には、ユーザが所望とする読取条件は変更せずに、画像読取時の撮像条件（光源点灯光量・アナログフロントエンドの画像信号ゲイン量（増幅率）など）を変更して、読取動作を実行する。これにより、イメージスキャナ１００に供給される外部電源の電力量が少ない場合においても、ユーザが所望する読取条件にて撮像を行うことができ、ユーザが本来所望する画像を得ることができる。
【実施例２】
【００３７】
実施例２におけるイメージスキャナ１００のハードウェア構成は、実施例１と同様である。実施例２と実施例１との差異は、点灯光量に閾値を設け、制御方法を変えたことである。以下、実施例１との差異のみを説明し、同一の部分は説明を省略する。
【００３８】
図５は、実施例２のイメージスキャナ１００の動作を例示するフローチャートである。このフローチャートに示す処理は、例えば、撮像制御部１５内のＣＰＵがＲＯＭに格納されてプログラムを実行することにより実現される。
以下、図５を用いて実施例２のイメージスキャナ１００の動作のシーケンスを詳しく説明する。なお、Ｓ１、Ｓ２、Ｓ４の処理は、実施例１で説明した図２のＳ９１、Ｓ９２、Ｓ９４と同一の処理なので説明を省略する。
【００３９】
Ｓ２において、Ｓ１で操作者から指示された読取条件にて画像読取動作を実行するための電力に対して外部電源から得られる電源供給量が充分でないと判定した場合（Ｓ２でＮｏの場合）、撮像制御部１５は、Ｓ３に処理を進める。
【００４０】
Ｓ３では、撮像制御部１５は、まず、光量調整回路７に対して光源３１を通常点灯量まで点灯して良いという条件下で光量調整（通常の光量調整）を実行する。ここで述べている、通常点灯量では、実施例１で示したものと同様に、図４において、点灯光量を増加していき、ラインセンサの出力値の線形性が変化する直前の値を上限値に設定するのが一般的である。本実施例においては、この点灯光量に対して閾値を設定する。さらに、撮像制御部１５は、上記光量調整を行った結果、点灯光量が閾値を超えたかどうか判定し、閾値を超えた場合（これは点灯光量が大きく（明るく）なっている状況に相当する場合）に、制御シーケンスを変更するように制御する。光量調整の結果、点灯光量が閾値より大きい且つ外部電源供給量が不充分な場合は、光量調整動作時の点灯光量をそのまま用いると、点灯光量が通常よりも小さくなってしまう可能性がある。このような不安定な状況での点灯動作をさける目的で、点灯光量を光量調整動作にて得られた値よりも小さい値で点灯させるとともに、ラインセンサ３３の出力値が減少した分を補償するために、増幅率を通常点灯調整時の増幅率よりも高く設定するように制御する。
【００４１】
上記通常の光量調整を行った結果の点灯光量が閾値以下と判定した場合（Ｓ３でＹｅｓの場合）、撮像制御部１５は、Ｓ４に処理を進め、通常点灯量による光量調整値で読取動作を実行する。
【００４２】
一方、上記光量調整を行った結果の点灯光量が閾値を超えたと判定した場合（Ｓ３でＮｏの場合）、撮像制御部１５は、Ｓ５に処理を進める。
【００４３】
Ｓ５では、撮像制御部１５は、光量調整回路７に対して、光源３１を通常点灯量よりも低い所定光量まで点灯して良いという条件下で再度光量調整を実行する。この場合、図４が示すように、明状態のラインセンサ出力値は通常点灯時に得られるラインセンサ出力値よりも小さい値となる。その減少分を補償するために、撮像制御部１５は、画像信号増幅制御部１０を介して画像信号増幅回路９に設定される画像信号増幅率を、通常点灯量調整時の増幅率よりも高く設定する。
【００４４】
具体的には、通常点灯量での光量調整時と、通常点灯よりも低い点灯量で光量調整した時とのそれぞれから得られるラインセンサ出力値を画像信号増幅回路９へと入力した時の、画像信号増幅回路９からの出力値が両者同一になるように、信号増幅率を決定する。そして、撮像制御部１５は、上記の通りに、点灯調整値および信号増幅率を確定した後に、画像読取動作を実行する。
【００４５】
以上示したように、実施例２によれば、イメージスキャナ１００に供給される外部電源の電力量が少なく指定された画像読取動作に不十分で且つ光量調整後の点灯光量が閾値を超える場合には、ユーザが所望とする読取条件は変更せずに、画像読取時の撮像条件（光源点灯光量・アナログフロントエンドの画像信号ゲイン量（増幅率）など）を変更して、読取動作を実行する。これにより、イメージスキャナ１００に供給される外部電源の電力量が少ない場合においても、ユーザが所望する読取条件にて撮像を行うことができ、ユーザが本来所望する画像を得ることができる。
【実施例３】
【００４６】
実施例３におけるイメージスキャナ１００のハードウェア構成は、実施例１，２と同様である。実施例３と実施例２との差異は、光量調整の閾値を第１閾値と第２閾値の二段階設けたことにある。以下、実施例２との差異のみを説明し、同一の部分は説明を省略する。
【００４７】
図６は、実施例３のイメージスキャナ１００の動作を例示するフローチャートである。このフローチャートに示す処理は、例えば、撮像制御部１５内のＣＰＵがＲＯＭに格納されてプログラムを実行することにより実現される。
以下、図４を用いて実施例３のイメージスキャナ１００の動作のシーケンスを詳しく説明する。なお、Ｓ２１、Ｓ２２、Ｓ２４の処理は、実施例１で説明した図２のＳ９１、Ｓ９２、Ｓ９４や、実施例２で説明した図５のＳ１、Ｓ２、Ｓ４と同一の処理なので説明を省略する。
【００４８】
Ｓ２２において、Ｓ２１で操作者から指示された読取条件にて画像読取動作を実行するための電力に対して外部電源から得られる電源供給量が充分でないと判定した場合（Ｓ２２でＮｏの場合）、撮像制御部１５は、Ｓ２３に処理を進める。
【００４９】
Ｓ２３では、撮像制御部１５は、図５のＳ３と同様に、まず、光量調整回路７に対して光源３１を通常点灯量まで点灯して良いという条件下で光量調整（通常の光量調整）を実行する。さらに、撮像制御部１５は、上記通常の光量調整を行った結果の点灯光量が第１閾値以下かどうか判定する。
【００５０】
なお、第１閾値に関しては、外部電源供給量検知部１４にて検知した外部電源供給量と、操作者が指定した所定の読取条件にて画像読取動作を行うのに要する電力量の比を取り、例えば画像読取動作を実行するための電力量に対して、外部電源供給量が不足しているほど、第１閾値が低くなる様に設定する。なお、ここで記述した第１閾値の決定方法は一例であり、その他線形または非線形な式を用いて、外部電源供給量と画像読取動作に必要な電力量から第１閾値を決定しても良いし、イメージスキャナ１００が得ることのできる物理量を用いて、第１閾値を決定しても良い。
【００５１】
そして、上記通常の光量調整を行った結果の点灯光量が第１閾値以下と判定した場合（Ｓ２３でＹｅｓの場合）、撮像制御部１５は、Ｓ２４に処理を進め、通常点灯量による光量調整値で読取動作を実行する。
【００５２】
一方、上記光量調整を行った結果の点灯光量が第１閾値を超えたと判定した場合（Ｓ２３でＮｏの場合）、撮像制御部１５は、Ｓ２５に処理を進める。
【００５３】
Ｓ２５では、撮像制御部１５は、上記通常の光量調整を行った結果の点灯光量が第２閾値以下かどうかを判定する。なお、第２閾値に関しても、第１閾値を決定する際に述べた方法と同様に、イメージスキャナ１００が得ることのできる各種物理量を用いて、第２閾値を決定する。ただし、第１閾値と第２閾値の関係は、図７に示す通り、「第１閾値＜第２閾値」であることが望ましい。
図７は、光量調整後の点灯光量に対する第１閾値と第２閾値の関係を示す概念図である。
【００５４】
そして、上記通常の光量調整を行った結果の点灯光量が第２閾値以下と判定した場合（Ｓ２５でＹｅｓの場合）、撮像制御部１５は、Ｓ２６に処理を進める。
【００５５】
Ｓ２６では、図５のＳ５と同様に、撮像制御部１５は、光量調整回路７に対して、光源３１を通常点灯量よりも低い所定光量まで点灯して良いという条件下で再度光量調整を実行する。この場合、図４が示す様に、明状態のラインセンサ出力値は通常点灯時に得られるラインセンサ出力値よりも小さい値となる。その減少分を補償するために、撮像制御部１５は、画像信号増幅制御部１０を介して画像信号増幅回路９に設定される画像信号増幅率を、通常点灯量調整時の増幅率よりも高く設定する。そして、撮像制御部１５は、上記の通りに、点灯調整値および信号増幅率を確定した後に、画像読取動作を実行する。
【００５６】
一方、上記光量調整を行った結果の点灯光量が第２閾値を超えたと判定した場合（Ｓ２５でＮｏの場合）、撮像制御部１５は、操作者が指定した読取条件での画像読取動作は不可能と判定し、Ｓ２７に処理を進める。
【００５７】
Ｓ２７では、撮像制御部１５は、読取モードをモノクロモード（ここではグレースケールモードとする）にするとともに、光源３１のうちＲ、Ｇ、Ｂから１種または２種点灯させて画像読取動作を実行する（即ち、光源３１のうちＲ、Ｇ、Ｂから１種または２種を消灯させて画像読取動作を実行する）。このときの画像読取動作は、通常の画像読取動作よりも低消費電力な動作となる。
【００５８】
なお、本実施例が特に有用となるのは、操作者が読取条件として、グレースケールモードを指定した場合である。通常、グレースケールモードを指定すると、Ｒ，Ｇ，Ｂの３種を点灯させることで画像を得るが、本実施例においては、１種または２種点灯によりグレースケールモードの画像を得る。この場合は、操作者が要求する読取条件と一致した読取画像を操作者に提供することが可能となる。なお、このときの点灯光量は、通常点灯量まで点灯して良いという条件下で光量調整を行った結果で得られた光量調整量（通常の光量調整量）としてもよいし、より低消費電力を実現する動作としては、通常よりも低い値まで点灯してよいという条件下で光量調整を実行して得られた光量調整量（低光量調整量）としてもよい。なお、通常の光量調整量で画像読取動作を行う場合には、増幅率も通常の増幅率に設定する。一方、通常よりも低い低光量調整量で画像読取動作を行う場合には、通常の増幅率よりも高く増幅率を設定するものとする。
【００５９】
また、図６では、光量調整を行った結果の点灯光量が第２閾値を超えたと判定した場合（Ｓ２５でＮｏの場合）、グレースケールノードに設定し、光源３１のうちＲ、Ｇ、Ｂから１種または２種点灯させて画像読取動作を実行する（Ｓ２７）構成を示した。しかし、Ｓ２５でＮｏの場合には、電力不足により、操作者に指示された画像読取動作を実行できず、グレースケールモードとなる旨のメッセージを表示し、画像読取動作を実行することなく、処理を終了するように構成してもよい。また、Ｓ２５でＮｏの場合には、上記メッセージを不図示の表示部に表示し、光源３１のうちＲ、Ｇ、Ｂから１種または２種点灯させた画像読取動作（Ｓ２７）を実行するかどうかを操作者に問い合わせる（選択入力を促す）。そして、操作スイッチ１６等から、「実行する」旨の指示があった場合には、撮像制御部１５が上記Ｓ２７の読取動作を実行し、「実行しない」旨の指示があった場合には、撮像制御部１５が画像読取動作を実行することなく（中止し）、処理を終了するように構成してもよい。なお、操作者により指定されたモードがグレースケールモードの場合には、上記メッセージの表示を行わず、Ｓ２７を実行するものとする。
【００６０】
また、強制的に所望の読み取り動作を実行する旨の指示の選択を受け付け可能とし、該指示の選択があった場合には、撮像制御部１５が上記Ｓ２６の読取動作を実行するようにしてもよい。ただし、この場合、読取に失敗する等の可能性がある旨のメッセージを不図示の表示部に表示し、ユーザに警告するようにする。
【００６１】
以上示したように、実施例３によれば、イメージスキャナ１００に供給される外部電源の電力量が少なく指定された画像読取動作に不十分な状況下でも、ユーザが所望する読取条件で画像読取を実行できる場合は、ユーザが所望とする読取条件は変更せずに、画像読取時の撮像条件（光源点灯光量・アナログフロントエンドの画像信号ゲイン量（増幅率）など）を変更して、読取動作を実行し、実施例１、２と同様の効果を奏する。一方、ユーザが所望する読取条件にて画像読取を実行するのが不可となる場合には、より電力消費の少ない読取条件にて画像読取を実行し、確実に画像読取動作を行うことができる。このため、イメージスキャナに供給される電力量が限定されている場合でも、ユーザに読取画像を確実に提供することが可能となる。特にグレースケールモードでの読取条件が操作者により指定された場合には、読取モードを変更すること無く画像読取を実行可能とする画像読取装置を提供することができる。
【００６２】
なお、実施例１、２の構成の場合、カラー読取／モノクロ読取（例えばグレースケールモードでの読み取り）どちらの読取条件であっても、操作者が指定した読取条件での画像読取を実現することができる。
【実施例４】
【００６３】
図８は、本発明の実施例４における画像読取装置の概略構成を例示する図である。図８において図１と同一の構成については同一符号を付してその詳細説明を省略する。
【００６４】
図８において、１７はバッテリーなどの内部電源である。１８は、内部電源１７の内部電源残量を監視するための残量検出部である。残量検出部１８は、内部電源１７の残量検出結果を撮像制御部１５に通知する。撮像制御部１５は、この通知に基づいて、画像読取のための内部電源残量が充分にあるかどうかを判定する。撮像制御部１５は、実施例１〜３の場合と同様に、イメージスキャナ１００が設定可能な全ての読取条件にて読取動作を行うのに必要な電力に関するデータ（電力データ）を保持している。
【００６５】
図９は、実施例４のイメージスキャナ１００の動作を例示するフローチャートである。このフローチャートに示す処理は、例えば、撮像制御部１５内のＣＰＵがＲＯＭに格納されてプログラムを実行することにより実現される。
以下、図９を用いて実施例４のイメージスキャナ１００の動作のシーケンスを詳しく説明する。なお、Ｓ１１１、Ｓ１１３、Ｓ１１４の処理は、実施例１で説明した図２のＳ９１、Ｓ９３、Ｓ９４と同一の処理なので説明を省略する。
【００６６】
Ｓ１１２では、撮像制御部１５は、残量検出部１８を介して内部電源１７の電源残量を取得し、内部電源１７の電源残量がＳ１１１で操作者から指示された読取条件にて画像読取動作を行うのに充分かどうか判定する。
【００６７】
なお、残量検出部１８は、撮像制御部１５からの指示に応じて内部電源１７の電源残量を検知し、該検知した結果を撮像制御部１５に送信する。残量検出部１８の検知結果を撮像制御部１５が受信すると、撮像制御部１５は、上記Ｓ１１１で指示された読取条件にて画像読取動作を行うのに必要とされる電力と、残量検出部１８から得られる内部電源残量とを比較する。
【００６８】
そして、上記Ｓ１１１で操作者から指示された読取条件にて画像読取動作を実行するための電力に対して内部電源残量が充分であると判定した場合（Ｓ１１２でＹｅｓの場合）、撮像制御部１５は、Ｓ１１４に処理を進め、通常点灯量による光量調整値で読取動作を実行する。詳細は、図２のＳ９４と同一のため省略する。
【００６９】
一方、上記Ｓ１１１で操作者から指示された読取条件にて画像読取動作を実行するための電力に対して内部電源残量が充分でないと判定した場合（Ｓ１１２でＮｏの場合）、撮像制御部１５は、Ｓ１１３に処理を進め、通常の光量調整を行い、該光量調整後の点灯光量に応じて、画像信号の増幅率を変更させ、画像読取動作を実行する。詳細は、図２のＳ９３と同一のため省略する。
【００７０】
以上示したように、実施例４によれば、イメージスキャナ１００に供給される内部電源の残量が少なく指定された画像読取動作に不十分な場合には、ユーザが所望とする読取条件は変更せずに、画像読取時の撮像条件（光源点灯光量・アナログフロントエンドの画像信号ゲイン量（増幅率）など）を変更して、読取動作を実行する。これにより、イメージスキャナ１００の内部電源残量が少ない場合においても、ユーザが所望する読取条件にて撮像を行うことができ、ユーザが本来所望する画像を得ることができる。
【実施例５】
【００７１】
実施例５おけるイメージスキャナ１００のハードウェア構成は、実施例４と同様である。実施例５と実施例４との差異は、点灯光量に閾値を設け、制御方法を変えたことである。以下、実施例４との差異のみを説明し、実施例４と同一の部分は説明を省略する。
【００７２】
図１０は、実施例５のイメージスキャナ１００の動作を例示するフローチャートである。このフローチャートに示す処理は、例えば、撮像制御部１５内のＣＰＵがＲＯＭに格納されてプログラムを実行することにより実現される。
以下、図１０を用いて実施例５のイメージスキャナ１００の動作のシーケンスを詳しく説明する。
【００７３】
まず、Ｓ３１、Ｓ３２の処理は、実施例４で説明した図９のＳ１１１、Ｓ１１２と同一の処理なので説明を省略する。Ｓ３２において、Ｓ３１で操作者から指示された読取条件にて画像読取動作を実行するための電力に対して内部電源残量が充分でないと判定した場合（Ｓ３２でＮｏの場合）、撮像制御部１５は、Ｓ３３に処理を進める。
また、Ｓ３３〜Ｓ３５の処理は、実施例２で説明した図５のＳ３〜Ｓ５と同一の処理なので説明を省略する。
【００７４】
以上示したように、実施例５によれば、イメージスキャナ１００の内部電源残量が少なく指定された画像読取動作に不十分で且つ光量調整後の点灯光量が閾値を超える場合には、ユーザが所望とする読取条件は変更せずに、画像読取時の撮像条件（光源点灯光量・アナログフロントエンドの画像信号ゲイン量（増幅率）など）を変更して、読取動作を実行する。これにより、イメージスキャナ１００の内部電源残量が少ない場合においても、ユーザが所望する読取条件にて撮像を行うことができ、ユーザが本来所望する画像を得ることができる。
【実施例６】
【００７５】
実施例６おけるイメージスキャナ１００のハードウェア構成は、実施例４と同様である。実施例６と実施例５との差異は、光量調整の閾値を第１閾値と第２閾値の二段階設けたことにある。以下、実施例５との差異のみを説明し、同一の部分は説明を省略する。
【００７６】
図１１は、実施例６のイメージスキャナ１００の動作を例示するフローチャートである。このフローチャートに示す処理は、例えば、撮像制御部１５内のＣＰＵがＲＯＭに格納されてプログラムを実行することにより実現される。
以下、図１１を用いて実施例６のイメージスキャナ１００の動作のシーケンスを詳しく説明する。
【００７７】
まず、Ｓ４１、Ｓ４２の処理は、実施例４で説明した図９のＳ１１１、Ｓ１１２や、実施例５で説明した図１０のＳ３１、Ｓ３２と同一の処理なので説明を省略する。Ｓ４２において、Ｓ４１で操作者から指示された読取条件にて画像読取動作を実行するための電力に対して内部電源残量が充分でないと判定した場合（Ｓ４２でＮｏの場合）、撮像制御部１５は、Ｓ４３に処理を進める。
また、Ｓ４３〜Ｓ４７の処理は、実施例３で説明した図６のＳ２３〜Ｓ２７と同一の処理なので説明を省略する。
【００７８】
以上示したように、実施例６によれば、イメージスキャナ１００の内部電源残量が少なく指定された画像読取動作に不十分な状況下でも、ユーザが所望する読取条件で画像読取を実行できる場合は、ユーザが所望とする読取条件は変更せずに、画像読取時の撮像条件（光源点灯光量・アナログフロントエンドの画像信号ゲイン量（増幅率）など）を変更して、読取動作を実行し、実施例４、６と同様の効果を奏する。一方、ユーザが所望する読取条件にて画像読取を実行するのが不可となる場合には、より電力消費の少ない読取条件にて画像読取を実行し、確実に画像読取動作を行うことができる。このため、イメージスキャナの内部電源残量が少ない場合でも、ユーザに読取画像を確実に提供することが可能となる。特にグレースケールモードでの読取条件が操作者により指定された場合には、読取モードを変更すること無く画像読取を実行可能とする画像読取装置を提供することができる。
【００７９】
なお、実施例４、５の構成の場合、カラー読取／モノクロ読取（例えばグレースケールモードでの読み取り）どちらの読取条件であっても、操作者が指定した読取条件での画像読取を実現することができる。
【００８０】
以上示したように、本発明の画像読取装置としてのイメージスキャナ１００の撮像制御部１５は、電力供給が限りある状況でも、できるだけ長く使用できるようにするめ、所定の電力供給の範囲内で画像の読取動作を実行する制御を行う。この際、画像品質を保ちながら省エネ駆動を実現するために、例えば、ラインセンサ３３からの出力信号の増幅率を変更するように制御する。なお、本発明は、上記増幅率を変更して読取動作を行う制御に限定されるものではなく、所定の電力供給の範囲内で画像の読取動作を実行する制御であれば、他の制御により、画像読取動作を実行する構成も含まれるものである。
以上のように、例えば、外部電源からの電力供給量が少ない、内部電源の残量が少ない等の装置への供給電源が限定されている場合であっても、画像読取動作を実行でき、できるだけ長く装置を使用可能にできる。
【００８１】
なお、上述した各種データの構成及びその内容はこれに限定されるものではなく、用途や目的に応じて、様々な構成や内容で構成されることは言うまでもない。
以上、一実施形態について示したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
また、上記各実施例を組み合わせた構成も全て本発明に含まれるものである。
【００８２】
（他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
また、本発明は、複数の機器から構成されるシステムに適用しても、１つの機器からなる装置に適用してもよい。
本発明は上記実施例に限定されるものではなく、本発明の趣旨に基づき種々の変形（各実施例の有機的な組合せを含む）が可能であり、それらを本発明の範囲から除外するものではない。即ち、上述した各実施例及びその変形例を組み合わせた構成も全て本発明に含まれるものである。
【符号の説明】
【００８３】
１    原稿（シート）
２    原稿台ガラス
３    光学ユニット（密着型イメージセンサ）
４    モータ
５    搬送ローラ
６    モータ制御回路
７    光量調整回路
８    光量調整読取部
９    画像信号増幅回路
１０    画像信号増幅制御部
１３    外部電源入力部
１４    外部電源供給量検知部
１５    撮像制御部
１６    操作スイッチ
１７    内部電源
１８    残量検出部
３０    搬送路
３１    光源
３２    ライトガイド
３３    ラインセンサ
３４    セルホックレンズ
５０    従動ローラ
１００    イメージスキャナ
【図１】
2015207894.tif 000003
【図２】
2015207894.tif 000004
【図３】
2015207894.tif 000005
【図４】
2015207894.tif 000006
【図５】
2015207894.tif 000007
【図６】
2015207894.tif 000008
【図７】
2015207894.tif 000009
【図８】
2015207894.tif 000010
【図９】
2015207894.tif 000011
【図１０】
2015207894.tif 000012
【図１１】
2015207894.tif 000013